(57)【要約】      （修正有）【課題】柔軟な負荷のもとでタービンシステムの運転を最適化する装置および方法を提供する。【解決手段】ガスタービンシステム１は、圧縮機保護サブシステム５と、休止モードサブシステム７と、圧縮機保護サブシステム５および休止モードサブシステム７を制御する制御サブシステム１１とを含む。タービンシステムの部分負荷において、圧縮機保護サブシステム５は、空気力学的応力が圧縮機１３に発生する最小流量係数を超える、部分負荷の空気流量係数で、圧縮機１３を通る空気流量を維持する。部分負荷で運転している間、燃焼器１５の中の空気燃料比が維持され、タービン１７からの排気ガス排出コンポーネント９、２７、２８が、所定のコンポーネント排出レベルよりも小さく維持される。【選択図】図１
2013108493.tif 000002
【特許請求の範囲】
【請求項１】
圧縮機、燃焼器、およびタービンを有するガスタービンシステムの発電出力を変化させる方法であって、前記方法は、
現在の発電出力を決定するステップと、
目標の発電出力を決定するステップと、
現在の圧縮機パラメータおよび燃焼器パラメータを測定するステップと、
前記目標発電出力に対する圧縮機流量係数を計算するステップと、
前記目標発電出力に対する排出率を計算するステップと、
前記目標発電出力に対する前記流量係数が所定のターンダウン限界よりも小さい場合には、前記所定のターンダウン限界を超える流量係数に結果的になる新しい圧縮機パラメータを計算するステップと、
計算された前記排出率が所定の排出限界よりも大きい場合には、前記所定の排出限界より小さい排出率に結果的になる新しい燃焼器パラメータを計算するステップと、
前記発電出力を前記目標発電へ変化させるステップと、
前記圧縮機パラメータを前記新しい圧縮機パラメータへ変化させるステップと、
前記燃焼器パラメータを前記新しい燃焼器パラメータへ変化させるステップとを含む、方法。
【請求項２】
前記圧縮機パラメータは、流量係数を含む、請求項１記載の方法。
【請求項３】
前記圧縮機パラメータは、入口空気温度を含む、請求項１記載の方法。
【請求項４】
前記圧縮機パラメータは、ガイドベーン角度を含む、請求項１記載の方法。
【請求項５】
前記燃焼器パラメータは、燃料空気比を含む、請求項１記載の方法。
【請求項６】
前記所定のターンダウン限界は、空気力学的応力が前記圧縮機に発生する前記流量係数の最小値を含む、請求項１記載の方法。
【請求項７】
前記所定の排出限界は、瞬時排出限界を含む、請求項１記載の方法。
【請求項８】
前記所定の排出限界は、周期的な排出限界を含む、請求項１記載の方法。
【請求項９】
前記圧縮機パラメータを前記新しい圧縮機パラメータへ変化させる前記ステップは、前記圧縮機へ排気を機外排出するステップを含む、請求項１記載の方法。
【請求項１０】
前記圧縮機は、入口および出口を有し、前記燃焼器パラメータを変化させる前記ステップは、圧縮空気を前記圧縮機出口から前記圧縮機入口へ流すことによって、空気燃料比を変化させることを含む、請求項１記載の方法。
【請求項１１】
前記ガスタービンシステムは、熱回収蒸気発生器をさらに含み、前記方法は、前記燃焼器からの排気ガスを温度調節するステップをさらに含む、請求項１記載の方法。
【請求項１２】
前記排気ガスを温度調節する前記ステップは、排気ガスを噴霧器に通すステップを含む、請求項１１記載の方法。
【請求項１３】
ガスタービンシステムであって、
圧縮機と、
燃焼器と、
タービンと、
圧縮機保護サブシステムと、
休止モードサブシステムと、
前記圧縮機保護サブシステムおよび前記休止モードサブシステムを制御する制御サブシステムとを含む、ガスタービンシステム。
【請求項１４】
前記圧縮機保護サブシステムが、
圧縮機ブリードラインと、
排気ガス抽気ラインと、
前記圧縮機ブリードラインおよび前記排気ガス抽気ラインに連結されたブレンドアセンブリとを含む、請求項１３記載のガスタービンシステム。
【請求項１５】
前記ガスタービンシステムが、
前記圧縮機ブリードライン上に配置されたブリード制御弁と、
前記排気ガス抽気ライン上に配置された再循環制御弁とをさらに含む、請求項１４記載のガスタービンシステム。
【請求項１６】
前記ガスタービンシステムが、
前記圧縮機ブリードライン上に配置されたブリード流量センサと、
前記排気ガス抽気ライン上に配置された再循環流量センサとをさらに含む、請求項１４記載のガスタービンシステム。
【請求項１７】
前記ブレンドアセンブリが、エダクタを含む、請求項１４記載のガスタービンシステム。
【請求項１８】
前記ガスタービンシステムが、
前記燃焼器に連結された温度調節サブシステムと、
前記温度調節サブシステムに連結された熱回収蒸気発生器サブシステムとをさらに含む、請求項１３記載のガスタービンシステム。
【請求項１９】
前記温度調節サブシステムが、
作動流体源と、
成形されたバッフルアセンブリと、
前記作動流体源に連結され、前記成形されたバッフルアセンブリの中に配置された複数の噴霧器注入ノズルとを含む、請求項１８記載のガスタービンシステム。
【請求項２０】
前記成形されたバッフルアセンブリが、前記噴霧器注入ノズルから下流に配置された複数のバッフルを含む、請求項１９記載のガスタービンシステム。
【請求項２１】
圧縮機および燃焼器を有するガスタービンシステムのターンダウン範囲を拡張する方法であって、前記方法は、
前記圧縮機を通って流れる空気について最小空気流量パラメータを確立するステップと、
前記タービンから混合アセンブリへ、第１の流量でタービン排気を運搬するステップと、
前記圧縮機から混合アセンブリへ、第２の流量で圧縮空気を運搬するステップと、
前記圧縮機の空気流量が最小空気流量パラメータを超えるように維持するために、前記第１の流量および前記第２の流量を制御するステップとを含む、方法。
【請求項２２】
タービン排気を運搬する前記ステップは、排気ガス抽気ラインを通してタービン排気を流すステップを含む、請求項２１記載の方法。
【請求項２３】
圧縮空気を運搬する前記ステップは、前記圧縮機から圧縮機ブリードラインを通して圧縮空気を流すステップを含む、請求項２１記載の方法。
【請求項２４】
前記第１の流量を制御する前記ステップは、
前記排気ガス抽気ラインを通る前記第１の流量を検知するステップと、
前記排気ガス抽気ライン上の制御弁を制御するステップとを含む、請求項２２記載の方法。
【請求項２５】
前記第２の流量を制御する前記ステップは、
前記圧縮機ブリードラインを通る前記第２の流量を検知するステップと、
前記圧縮機ブリードライン上の制御弁を制御するステップとを含む、請求項２３記載の方法。
【請求項２６】
関係する最小空気流量パラメータのセットが、空気流量係数、ベーン角度、および、空気力学的応力が前記圧縮機に発生する大気温度のセットを含む、請求項２１記載の方法。
【請求項２７】
前記方法が、
最大排出パラメータのセットを確立するステップと、
タービン排気排出値が最大排出パラメータより小さくなるように維持するために、前記第１の流量を制御するステップとをさらに含む、請求項２１記載の方法。
【請求項２８】
前記最大排出パラメータが、空気燃料比に基づいている、請求項２７記載の方法。
【請求項２９】
部分負荷でのコンバインドサイクルガスタービンの効率を改善する方法であって、前記方法は、
空気力学的応力が前記圧縮機に発生する最小流量係数を超える、部分負荷の空気流量係数で圧縮機を通る空気流量を維持するステップと、
前記タービンからの排気ガス排出コンポーネントが、所定のコンポーネント排出レベルよりも小さく維持される燃焼器の中の空気燃料比を維持するステップと、
熱再循環蒸気発生器の入口の排気ガス温度を所定の最大入口温度よりも小さく維持するステップとを含む、方法。
【請求項３０】
前記圧縮機を通る空気流量を維持する前記ステップが、前記圧縮機からの圧縮空気と前記タービンからの排気ガスとのブレンドを提供するステップを含む、請求項２９記載の方法。
【請求項３１】
燃焼器の中の空気燃料比を維持する前記ステップが、前記圧縮機から前記圧縮機の空気入口へ圧縮空気を流すステップを含む、請求項２９記載の方法。
【請求項３２】
排気ガス温度を維持する前記ステップが、前記排気ガスを温度調節するために、噴霧器を通して排気ガスを流すステップを含む、請求項２９記載の方法。
【請求項３３】
前記圧縮機を通る空気流量を維持する前記ステップが、前記圧縮機からの圧縮空気と前記タービンからの排気ガスとのブレンド比を、圧縮機ブリードラインの第１の制御弁および排気抽気ラインの第２の制御弁を使用して制御するステップを含む、請求項２９記載の方法。
【請求項３４】
前記方法は、前記圧縮機を通る前記空気流量と、前記燃焼器の中の前記空気燃料比と、前記熱回収蒸気発生器の前記入口の排気ガス温度とを同時に制御するステップをさらに含む、請求項２９記載の方法。
【請求項３５】
部分負荷でのコンバインドサイクルガスタービンの効率を改善するシステムであって、前記システムは、
ターンダウンサブシステムと、
休止サブシステムと、
コンバインドサイクル等温式サブシステムと、
前記ターンダウンサブシステムに指令を提供し、圧縮機を通る空気流量について、部分負荷に対する内部流量係数を、空気力学的応力が前記圧縮機に発生する最小流量係数よりも大きく維持する、制御サブシステムとを含む、システム。
【請求項３６】
前記制御サブシステムは、前記休止サブシステムに指令を提供し、前記タービンからの排気ガス排出成分が所定の成分排出レベルよりも小さく維持されるように、燃焼器の中の空気燃料比を維持する、請求項３５記載のシステム。
【請求項３７】
前記制御サブシステムは、前記コンバインドサイクル等温式サブシステムに指令を提供し、前記熱回収蒸気発生器の入口の排気ガス温度を、所定の最大入口温度よりも小さく維持する、請求項３５記載のシステム。
【発明の詳細な説明】
【技術分野】
【０００１】
本発明は、ガスタービンシステムに関し、より具体的には、柔軟な負荷のもとでタービンシステムの運転を最適化する装置および方法に関する。
【背景技術】
【０００２】
世界人口の増加および所得の伸びが継続している結果として、電力需要は、世界的に増加し続けている。電力供給網は、需要の多少予測のできない大きな振幅、ならびに、生成能力の計画された変化および計画されていない変化を調節することが要求される。さらに、風力発電および太陽光発電などのような別の電源の重要性が増しており、これらの電源は、需要を満たすように発電するという点で影響を与える。
【０００３】
電力需要は無秩序である。需要は、一日のサイクル、一月のサイクル、季節のサイクル、および一年のサイクルによって変化し得る。例えば、暑い日の典型的な住宅地の毎日の需要プロファイルは、朝早い時間に最小値を示し、夕方の時間に最大値を示し得る。同じ日の商業的な需要は、夕方の時間に最小値を示し、昼頃に最大値を示し得る。また、一年の天候および季節も需要に影響を与える。いくつかのケースでは、ピーク需要は、最小需要の２倍となる可能性がある。
【０００４】
電力会社によって発電される電力は、効率的に貯蔵できないので、従来より、電力ユーティリティは、異なる生成アプローチを組み合わせて発電している。例えば、大型原子力プラントまたは大型石炭火力発電所は、最低限の電力（ベース負荷）を発電するために使用されることが可能である。ベース負荷発電プラントは、典型的に、最大出力で連続的に運転される。
【０００５】
ピーク需要（ピーク負荷）の時間の間、電力会社は、発電するために単純サイクルガスタービンを使用することが可能である。ガスタービンは、迅速に起動して１０〜３０分で電力を生成する能力があるので、ピーク負荷の間に要求される追加的な容量を供給するのに望ましい。ピーク負荷の期間中に発電するために使用されるガスタービンは、電力に対する需要が低いときは、一日の一部分の間、停止されることが可能である。ガスタービンの運転期間は、需要にしたがって変化することが可能である。
【０００６】
また、いくつかのユーティリティは、中間需要の期間中に電力を供給するために日中に稼働する負荷追従プラントを運転している。コンバインドサイクルガスタービンシステムは、負荷追従プラントとして使用されることがある。コンバインドサイクルガスタービンシステムは、典型的に、ガスタービンの排気に連結された熱回収蒸気発生器を含んでいる。需要が一日中変動するので、コンバインドサイクルガスタービンシステムは、その発電出力を調節することが可能である。コンバインドサイクルガスタービンシステムは、典型的に、効率、起動停止の速度、および容量について、ベース負荷発電プラントとピークプラント（例えば、ピーク電力を供給するために使用されるガスタービン）との間にある。
【０００７】
増加する需要に応え、環境問題に対処するために、多くのユーティリティは、風力発電および太陽光発電などの再生可能エネルギーの電源を使用し、中間負荷およびピーク負荷に対応している。これらの電源は、それらの間欠的な発電容量に起因して、電力需要に対して追加的な変動性を加える。例えば、太陽光発電プラントの発電出力は、雲の量にしたがって変化し、同様に、風力発電出力は、風速にしたがって変化するであろう。
【０００８】
ガスタービンは、ピーク負荷のための電力源として多くの利点を有している。ガスタービンは、効率が良く、据え付けコストが比較的低く、起動停止が比較的速く、排出量が低い。ガスタービンの起動順序は、スターターを通電することから始まる。タービンの回転数が点火回転数に到達すると、点火システムが通電され、燃料が燃焼器に供給される。燃焼状態で、確立された温度限界よりも温度が低く維持されながら、燃料流量が増加される。次いで、アイドリング速度に到達するまで、滑らかな加速を実現するために燃料流量が制御される。
【０００９】
ガスタービンは、ベース負荷、ピーク負荷、およびベース負荷よりも低い負荷で運転されることが可能である。ガスタービンのベース負荷は、発電機出力および高温ガス進路部品寿命を最適化する負荷である。ＡＮＳＩ  Ｂ１３３．６  Ｒａｔｉｎｇｓ  ａｎｄ  Ｐｅｒｆｏｒｍａｎｃｅは、ベース負荷を、１回の起動当たり８００時間で年間８，０００時間の運転として規定している。また、それは、ピーク負荷を、１回の起動当たり５時間で年間１２５０時間の運転として規定している。ガスタービンのピーク負荷は、効率、部品寿命、および検査間隔をしばしば犠牲にしながら、発電出力を最大化する負荷である。ガスタービンは、電力の需要が増加するときに、より高い出力へ迅速に負荷上昇できるように、部分負荷または低負荷で運転されることが可能である。ガスタービンを部分負荷で運転することには、利点と不利な点がある。１つの利点は、起動停止時に発生するプラントメンテナンスコストが低減されることである。しかし、低負荷での運転は、より低い運転効率およびより高い運転コストを結果として生じる。
【００１０】
ガスタービンからの仕事は、質量流量、燃焼ガスの中の熱エネルギー、および、タービンにわたる温度差の関数として変化する。これらの要因は、大気条件、燃料、入口および出口損失、燃料加熱、希釈剤注入、空気抽気、入口冷却、ならびに、蒸気および水注入によって影響されることが可能である。例えば、大気条件（圧力、温度、および湿度）の変化は、圧縮機への空気取り入れ口の密度および／または質量流量に影響し、結果的に、ガスタービン性能に影響する。そして、その質量流量は、圧縮機空気流量および燃料流量の関数である。
【００１１】
また、排出基準を順守することが、ガスタービンの運転において、主要な制約である。大部分のガスタービンは、低硫黄および低灰分燃料を燃焼する。結果的に、ガスタービンから排出される主要な汚染物質は、窒素酸化物（ＮＯおよびＮＯ2、集合的にＮＯｘと称される）、一酸化炭素（ＣＯ）、および揮発性有機化合物（ＶＯＣ）である。天然ガスをガスタービンの中で燃焼するとき、ＮＯｘおよびＣＯが、重要な主要排出物であると考えられる。ガスタービンからの排出物は、大気温度、負荷、および汚染物質濃度の関数として著しく変化する。５０％負荷より低いと、排出物濃度は増加する可能性がある。これは、特に、一酸化炭素（ＣＯ）に当てはまる。結果的に、依然として排出基準を順守しながら、従来のガスタービンシステムを運転することが可能な負荷レベルに対して限界がある。
【００１２】
ガスタービン運転に適用できる排出基準は、国ごとに変化する可能性があり、米国では、連邦基準に加えて、基準が州ごとに変化する可能性がある。規制当局は、排出物を規制するための様々な制度を課す可能性がある。例えば、ＮＯｘ排出限界は、単位出力当たり、または単位入熱（瞬時限界）当たりのＮＯｘポンドとして示される可能性がある。いくつかの場合、基準は、濃度ベースまたは出力ベースの排出基準として策定されることが可能である。濃度ベースの限界は、体積比百万分の１の単位（ｐｐｍｖ）として示されることが可能である。出力ベースの排出限界は、有効に回収された単位エネルギー当たりの排出物質量、または、メガワット時当たりのポンドの単位で示されることが可能である。いくつかのプラントは、年間当たりまたは他の期間（期間限界）当たりに排出されるＮＯｘのトン数に基づいて制限されることが可能である。
【００１３】
いくつかの発電プラントは、起動モードにあるとき排出限界および他の制限を有する。起動限界のタイプには、（ａ）単位時間当たりのポンド、（ｂ）ｌｂ／回／ＣＴＧ、および（ｃ）ｌｂ／回／パワーブロックが含まれる。最大許容可能なｌｂ／ｈｏｕｒ限界は、空気品質影響評価において使用するには最も単純な値であるので、規制庁によって要求される可能性がある。
【００１４】
広い出力範囲にわたるガスタービン運転の問題の１つは、効率、燃料消費、および排出、具体的には、ＮＯｘおよびＣＯ排出が、悪い影響を受ける可能性があるということである。例えば、プラント運転員が、従来のガスタービンを低負荷で運転するとき、著しい効率の減少がある。別の問題は、ガスを燃料とするタービンが、低い大気温度条件において低負荷で運転されるとき、圧縮機が、後方段において、空気力学的な応力にさらされる可能性があるということである。段落負荷パラメータの増加によって駆動される空気力学的モードの励起に起因して、これらの応力は、空気力学的モードの空力安定性限界よりも下で発生する。これらの応力がはっきり表れる流量係数値は、ターンダウン制限区域と称される。より低い温度でガスタービンを運転するときのさらなる別の問題は、ＣＯ順守のために要求される最小負荷が、とりわけ大気温度の関数であるということである。例えば、いくつかのガスタービンにおいて、温度が３５°Ｆ（１．７℃）よりも低くなると、ＣＯ順守のために要求される最小負荷が急に上昇する。さらなる別の問題は、コンバインドサイクルガスタービンシステムにおいて熱回収蒸気発生器を使用することが、ベース負荷、部分負荷、および負荷上昇運転モードにおける最適なガスタービン運転に追加的な制約を課す可能性があるということである。さらなる別の問題は、ガスタービンが、およそ１０％負荷の極端に低い休止モードで運転されるとき、燃焼器希薄吹消（すなわち、火炎の喪失）の可能性があるということである。
【発明の概要】
【００１５】
本発明の１つの観点によれば、ガスタービンシステムの発電出力を変化させる方法が提供される。この観点の本方法は、現在の発電出力および目標の発電出力を決定するステップを含む。本方法は、現在の圧縮機パラメータおよび燃焼器パラメータを測定するステップと、目標発電出力に対する圧縮機流量係数を計算するステップと、目標発電出力に対する排出率を計算するステップとを含む。目標発電出力に対する流量係数が所定のターンダウン限界よりも小さい場合には、本方法は、所定のターンダウン限界を超える流量係数に結果的になる新しい圧縮機パラメータを計算するステップを含む。計算された排出率が所定の排出限界よりも大きい場合には、本方法は、所定の排出限界より小さい排出率に結果的になる新しい燃焼器パラメータを計算するステップを含む。また、本方法は、発電出力を目標発電出力へ変化させるステップと、圧縮機パラメータを新しい圧縮機パラメータへ変化させるステップと、燃焼器パラメータを新しい燃焼器パラメータへ変化させるステップとを含む。
【００１６】
本発明の別の観点によれば、ガスタービンシステムが提供される。この観点のガスタービンシステムは、圧縮機と、燃焼器と、タービンと、圧縮機保護サブシステムと、休止モードサブシステムと、圧縮機保護サブシステムおよび休止モードサブシステムを制御する制御サブシステムとを含む。
【００１７】
本発明の別の観点によれば、ガスタービンシステムのターンダウン範囲を拡張する方法が提供される。本方法は、圧縮機を通って流れる空気について最小空気流量パラメータを確立するステップと、タービンから混合アセンブリへ、第１の流量でタービン排気を運搬するステップと、圧縮機から混合アセンブリへ、第２の流量で圧縮空気を運搬するステップと、圧縮機の空気流量が最小空気流量パラメータを超えるように維持するために、第１の流量および第２の流量を制御するステップとを含む。
【００１８】
本発明の別の観点によれば、部分負荷でのコンバインドサイクルガスタービンの効率を改善する方法が提供される。本方法は、空気力学的応力が圧縮機に発生する最小流量係数を超える、部分負荷の空気流量係数で、圧縮機を通る空気流量を維持するステップと、タービンからの排気ガス排出コンポーネントが、所定のコンポーネント排出レベルよりも小さく維持される燃焼器の中の空気燃料比を維持するステップと、熱再循環蒸気発生器の入口の排気ガス温度を所定の最大入口温度よりも小さく維持するステップとを含む。
【００１９】
本発明の別の観点によれば、部分負荷でのコンバインドサイクルガスタービンの効率を改善するシステムが提供される。本システムは、ターンダウンサブシステムと、休止サブシステムと、コンバインドサイクル等温式サブシステムと、ターンダウンサブシステムに指令を提供し、圧縮機を通る空気流量において、部分負荷に対する内部流量係数が、空気力学的応力が圧縮機に発生する最小流量係数よりも大きく維持する、制御サブシステムとを含む。
【００２０】
本発明のこれらおよび他の特徴、観点、および利点は、添付の図面を参照して以下の詳細な説明を読めば、より良く理解されるであろう。添付の図面において、同様の文字は、全図面にわたり同様の部品を表す。
【図面の簡単な説明】
【００２１】
【図１】本発明の一実施形態によるガスタービンシステムの実施形態のブロック線図である。
【図２】本発明の一実施形態によるターンダウンサブシステムを示すブロック線図である。
【図３】本発明の別の実施形態によるターンダウンサブシステムを示すブロック線図である。
【図４】本発明の一実施形態による休止モードサブシステムを示すブロック線図である。
【図５】本発明の一実施形態によるコンバインドサイクル等温式サブシステムを示すブロック線図である。
【図６】本発明の一実施形態によるコンバインドサイクル等温式サブシステムの噴霧器コンポーネントの横断面図である。
【図７】本発明の一実施形態によるコンバインドサイクル等温式サブシステムの噴霧器コンポーネントの縦断面図である。
【図８】本発明の一実施形態による制御サブシステムを示すブロック線図である。
【図９】本発明の一実施形態による制御サブシステムの入出力を示すブロック線図である。
【図１０】本発明の一実施形態によるガスタービンシステムにおいて発電出力をターンダウンする方法のフロー図である。
【図１１】本発明の一実施形態によるガスタービンシステムにおいて発電出力をターンダウンする方法のフロー図である。
【図１２】本発明の一実施形態によるガスタービンシステムのターンダウン範囲を拡張する方法のフロー図である。
【発明を実施するための形態】
【００２２】
図１は、ガスタービンシステム１の実施形態の高水準の概略図を示している。ガスタービンシステム１は、従来のガスタービン３、ターンダウンサブシステム４、および制御サブシステム１１を含んでいる。ターンダウンサブシステム４は、圧縮機保護サブシステム５、休止モードサブシステム７、およびコンバインドサイクル等温式サブシステム９を含むことが可能である。
【００２３】
ガスタービン３は、圧縮機１３、燃焼器１５、タービン１７、発電機１８、入口ガイドベーン（ＩＧＶ）サブシステム１９、および熱回収蒸気発生器サブシステム２１を含むことが可能である。運転時、大気２０が、ＩＧＶサブシステム１９を通して吸い込まれ、圧縮機１３へ進入する。大気２０の温度、圧力、および相対湿度は、明らかに変化するであろう。比較の目的のために、タービン業界は、大気の標準条件を確立している。標準条件は、５９°Ｆ／１５℃、１４．６９６ｐｓｉａ／１．０１３ｂａｒ、および相対湿度６０％である。ＩＧＶサブシステム１９は、圧縮機１３の中への体積流量を変化させる働きをする。圧縮機１３からの圧縮空気は、燃焼器１５に進入し、燃焼器１５において、圧縮空気は、燃料入力１６からの燃料と混合され、燃焼させられる。燃焼器１５からの排気は、タービン１７を駆動し、そして、タービン１７は、発電機１８に接続されたシャフトを駆動する。いくつかのシステムでは、排気ガスは、熱回収蒸気発生器サブシステム２１の中に流入させられ、熱回収蒸気発生器サブシステム２１は、排気ガスから熱を回収し、蒸気タービン（図示せず）を駆動し、追加の電力を発電し、および／または、地域暖房などのようなプロセスへ蒸気を供給する。また、ガスタービンシステム１は、ガスタービン３をターンダウンサブシステム４に連結する圧縮機ブリードライン２５および排気ガス抽気ライン２７も含んでいる。別の実施形態では、排気ガス抽気ライン２８が、ターンダウンサブシステム４をバイパスするために備えられることが可能であり、排気ガスを直接ガスタービン３へ供給する。また、圧縮機ブリードライン２５および排気ガス抽気ライン２７は、コンバインドサイクル等温式サブシステム９に連結されることも可能であり、コンバインドサイクル等温式サブシステム９において、ガスは、コンバインドサイクル入力２２において、温度調節流体とブレンドされることが可能である。温度調節流体は、大気、水、蒸気、それらの任意の組み合わせ、または、コンバインドサイクル等温式サブシステム９の中のガスの温度を調整する機能を提供することが可能な任意の他の流体であることが可能である。
【００２４】
図２に示されているのは、圧縮機保護サブシステム５の一実施形態である（二重点線で示されている）。圧縮機保護サブシステム５を表すコンポーネントが、実線で示されている。ガスタービンシステム１の他のコンポーネントが、点線で示されている。この実施形態では、圧縮機ブリードライン２５は、外部ダクトアセンブリに連結されており、外部ダクトアセンブリは、上流側圧縮機ブリード制御弁２９、下流側圧縮機ブリード制御弁３１、および圧縮機ブリード流量センサ３３を含んでいる。制御サブシステム１１は、制御弁３１を制御し、そして、制御弁３１は、圧縮空気（Ｑ１）の流量を制御する。圧縮空気は、マニホールドまたはエダクタなどのようなブレンドアセンブリ３５へ輸送され、ブレンドアセンブリ３５において、圧縮空気は、排気ガスとブレンドされ、ＩＧＶサブシステム１９へ運搬される。排気は、排気抽気ライン２７に連結された外部ダクトアセンブリによって供給される。排気ガス抽気ライン２７には、排気ガス抽気（ＥＧＥ）流量センサ３９、ＥＧＥ制御弁４１、およびＥＧＥ遮断弁４３が備えられている。ＥＧＥセンサ３９は、排気ガス（Ｑ２）の流量のデータを制御サブシステム１１へ提供する。制御サブシステム１１は、制御信号を、上流側圧縮機ブリード制御弁２９、下流側圧縮機ブリード制御弁３１、ＥＧＥ流量センサ３９、ＥＧＥ制御弁４１、およびＥＧＥ遮断弁４３へ提供する。排気は、ガスタービン入口システム３７において大気とブレンドされることが可能である。
【００２５】
図３に示されているのは、圧縮機保護サブシステム５の別の実施形態であり、そこでは、中間段圧縮機ブリードライン４５が、圧縮機１３の中間段に接続されている。圧縮機ブリードライン２５および中間段圧縮機ブリードライン４５からの圧縮空気は、第１のブレンドを作り出すために、マニホールドまたはエダクタなどのようなブレンドコンポーネント４６を通して混合される。ブレンドされた圧縮機空気は、ブレンドアセンブリ３５において、排気ガス抽気ライン２７からの排気とブレンドされる。次いで、第２のブレンドは、ガスタービン入口システム３７において大気２０とブレンドされることが可能であり、ブレンドされたガスは、ＩＧＶ１９を通して圧縮機１３へ供給される。
【００２６】
圧縮機保護サブシステム５は、段落負荷パラメータ、および圧縮機を通過する空気の流量係数などの圧縮機パラメータの連続的制御を通して、システムの性能を制御する能力を、ガスタービン３の運転員に提供する。段落負荷パラメータは、段落毎の仕事の取り出しの無次元量であり、高い段落負荷が望ましい。何故なら、高い段落負荷は、必要な仕事を生成するために、少ない段落しか必要としないということを意味するからである。高い段落負荷が効率に影響を与えるという事実によって、段落負荷は限定される。段落負荷パラメータは、最小相対Ｃｍ／Ｕ（流量係数）に基づいて特徴付けられることが可能である。流量係数は、平均ロータ速度に対する軸方向進入速度の比率である。無次元軸方向速度（流量係数と称されることが多い）が制限された範囲にあれば、圧縮機およびタービンが最も十分に動作するということが分かっている。所与の段落の流量係数は、その段落を通る質量流量の作用の特徴を示す。所与の流量係数について、軸方向からの圧縮機ブレードのブレード角度の増加に伴って、段落負荷は増加する。
【００２７】
寒い気温などのように大気条件が変化する中で、従来のガスタービンがより低い温度でさらされる空気力学的な応力を回避しながら、プラント運転員がガスタービンをより低い負荷で稼働することを、圧縮機パラメータの制御が可能にする。これは、圧縮機に進入する空気の入口温度、およびＩＧＶサブシステム１９の中のベーンのベーン角度を制御することによって達成される。圧縮機入口温度は、抽気された排気ガスを使用して制御される。ＩＧＶ１９を通して圧縮機１３へ供給されたブレンドされたガスの温度を制御することによって、ガスタービン３は、低い大気温度におけるターンダウン制限区域を超えて（公称Ｃｍ／Ｕのレベルを超えて）運転されることが可能であり、それによって、ガスタービン３が低負荷で運転されるときに圧縮機１３を保護する。さらに、休止モードサブシステム７は、同様に、ガスタービン３の運転員が公称ＣＯ排出限界を超えて負荷を低下させることを可能にする。
【００２８】
拡張されたターンダウンによる顧客の利益は、年間生成時間（稼働率、設備利用率）の増加、起動停止周期の低減（メンテナンスコストの低減）、および、低い大気温度における公称値よりも低いこのターンダウンにおける運転効率の著しい改善である。
【００２９】
本明細書で説明されている圧縮機保護サブシステム５の利点は、圧縮機１３へ供給される空気を加熱するために使用されるシステムの全体的な複雑さが低減されることによって、資本コストおよびメンテナンスコストが低減されることが可能であるということである。本明細書で説明されている圧縮機保護サブシステム５の別の利点は、それによって、ガス化複合発電（ＩＧＣＣ）運転などのように低カロリー燃料ガスを使用するときに、ガスタービン３の運転員が、運転効率を改善することが可能になるということである。
【００３０】
図４に示しているのは、休止モードサブシステム７の実施形態である。休止モードサブシステム７は、二重点線の中に示されており、休止モードサブシステム７のコンポーネントは、実線で示されている。ガスタービンシステム１の他のコンポーネントは、点線で示されている。この実施形態では、圧縮機１３からの圧縮空気は、スプリッター４８において分割され、上流側圧縮機ブリード制御弁２９、下流側圧縮機ブリード制御弁３１、および圧縮機ブリード流量センサ３３を通して圧縮機１３の中に流れることになる部分になる。圧縮機の中に流れることになる部分は、ＩＧＶサブシステム１９へ運搬される。また、圧縮機１３からの圧縮空気は、圧縮機空気機外排出ライン４７を通して排気ガスへ機外排出されることになる第２の部分にも分割される。排気ガスへ機外排出されることになる空気の流れは、機外排出遮断弁４９、機外排出制御弁５１、および機外排出流量センサ５３によって制御される。機外排出流量センサ５３は、流量データを制御サブシステム１１へ提供する。制御サブシステム１１は、機外排出遮断弁４９および機外排出制御弁５１へ制御信号を提供する。
【００３１】
休止モードサブシステム７は、圧縮機吐出空気を圧縮機入口およびタービン排気へ機外排出することによって休止モードを可能にし、それによって、排出を支持する所望の燃料空気比（ＦＡＲ）を最大限界よりも低いレベルに維持する。休止モードサブシステム７は、前述の圧縮機保護サブシステム５と一体化されることが可能である。また、この発明は、非常に低い運転時間／起動回数の比率における運転に関係する顧客の運転コストおよびメンテナンスコストを低減する。
【００３２】
休止モードサブシステム７は、必要なスピニング容量を提供するために、急速なベース負荷レベルへの負荷上昇の能力を備えた状態で、およそ１０％負荷の極端に低い「休止モード」レベルで、ガスタービン３の運転員が運転することを可能にする。また、休止モードサブシステム７は、非常に低い運転時間／起動回数の比率におけるガスタービン３の運転に関係する運転コストおよびメンテナンスコストを低減することも可能である。また休止モードサブシステム７は、ガスタービン３の運転員が、依然として排出規制を順守しながら、極端に低い休止モードで運転することも可能にする。この実施形態で示されている休止モードサブシステム７は、ガスタービン３の中心線または燃焼システムに対する設計変更を必要としないであろうし、主要なコンポーネントの最小限の追加によって達成されることが可能である。休止モードサブシステム７は、ＣＯおよびＮＯｘの公称排出限界を超えて選択可能なガスタービン３のターンダウンを可能にする。さらに、休止モードサブシステム７は、空気燃料比の調節および燃焼器希薄吹消の軽減のための計画を確立している。
【００３３】
図５に示されているのは、コンバインドサイクルの実施形態の中のターンダウンサブシステム４の一部分として実施されることが可能なコンバインドサイクル等温式サブシステム９である。コンバインドサイクルの実施形態では、ガスタービン３からの高温排気ガスが、熱回収蒸気発生器２１を通過し、蒸気タービンを駆動する蒸気を生成する。ガスタービン３を負荷上昇し、出力を増加させ、熱消費率を低減することが望ましいことが多いが、熱回収蒸気発生器２１の設計限界が、ベース負荷、部分負荷、および負荷運転モードの最適なガスタービン運転に追加の制約を課す可能性がある。
【００３４】
コンバインドサイクル等温式サブシステム９は、二重点線の中に示されており、コンバインドサイクル等温式サブシステム９のコンポーネントは、実線で示されている。ガスタービンシステム１の他のコンポーネントは、点線で示されている。この実施形態では、圧縮機１３からの圧縮空気は、圧縮機ブリードライン２５を通して流れる。前述のように、上流側圧縮機ブリード制御弁２９が、圧縮機ブリードライン２５上に配置されることが可能である。さらに、機外排出遮断弁４９、機外排出制御弁５１、および機外排出流量センサ５３が、圧縮機空気機外排出ライン４７上に配置されることが可能である。さらに、安全弁５４が、圧縮機空気機外排出ライン４７上に配置されることが可能である。圧縮空気は、タービン１７からの排気およびコンバインドサイクル入力２２における温度調節流体とブレンドされることが可能である。複合された圧縮機空気、排気、および温度調節流体は、温度調節サブシステム５５を通って流れることが可能であり、温度調節サブシステム５５において、複合ガスの温度は制御されることが可能である。複合温度調節ガスは、熱回収蒸気発生器サブシステム２１の中へ流され、そこで追加の仕事が取り出されることが可能である。
【００３５】
コンバインドサイクル運転は、ガスタービンエンジンから離れる排気ガスが、特定の温度範囲の中にあることが要求される。これは、ガスタービン排気ダクトおよび熱回収蒸気発生器２１のハードウェアを劣化させることを回避するために、排気温度が高過ぎてはいけないということである。さらに、蒸気タービンのロータおよびケーシングの中の熱的非定常状態がタービンロータを劣化させる可能性があるとき、強制冷却と称される状態を回避するために、温度は特定の温度値よりも低くなるべきではない。上述された２つの温度限界は、それぞれ、上側閾値等温線および下側閾値等温線と称される。
【００３６】
温度調節サブシステム５５は、温度調節のための水噴霧器によってアフタークーリングを提供するアセンブリである。温度調節サブシステム５５は、ガスタービン３の排気ダクトの中に最適化された噴霧器構成を提供し、１つまたは複数の噴霧器注入ノズル５７がダクトの中に配置されている。それぞれの噴霧器注入ノズル５７は、作動流体入力５８からの復水または他の作動流体を供給され、成形されたバッフルアセンブリ５９によって上流を遮蔽されている。
【００３７】
図６および図７に示されているのは、成形されたバッフルアセンブリ５９である。バッフル６１は、重なり合うスプレーパターン６２を最適化し、ガス温度の均一性を実現するために戦略的に配置されている。温度調節サブシステム５５は、熱回収蒸気発生器サブシステム２１の中の任意の圧力区域から復水を受け入れ、または、外部から脱塩水が作動流体として供給される。噴霧器流量および復水源は、制御サブシステム１１によって制御されることが可能である。
【００３８】
コンバインドサイクル等温式サブシステム９は、熱回収蒸気発生器２１に進入する排気ガス温度を、温度調節する水噴霧器によるアフタークーリングによって、外部から管理および最適化する能力を提供する。
【００３９】
コンバインドサイクル等温式サブシステム９は、部分負荷で運転する効率および能力に対する制約のうちのいくつかを部分的に克服し、それは、入口ガス温度限界によって課される。これらの制約は、全ての負荷点においてガスタービン３の出力およびプラント全体効率を限定する可能性がある。結果的に、ガスタービン３は、全ての運転モードの間、排気ガス温度がＨＲＳＧ２１の入口温度限界を超えた状態で運転されることが可能であり、負荷率、および熱回収蒸気発生器サブシステム２１への排気ガスの熱伝達を改善する。コンバインドサイクル等温式サブシステム９は、ガスタービン３から熱回収蒸気発生器２１に進入する排気ガス温度を、温度調節のための水／蒸気噴霧器によるアフタークーリングによって、外部から管理および最適化する方法を提供する。さらに、コンバインドサイクル等温式サブシステム９は、下流の温度の均一性のための噴霧器ノズルおよびバッフル構成を提供し、ガスタービンの顧客が、任意の運転モードの間、排気ガス温度が熱回収蒸気発生器サブシステム２１の入口温度限界を超えた状態でガスタービン３を運転することを可能にする。また、コンバインドサイクル等温式サブシステム９の使用は、コンバインドサイクルガスタービンプラントの負荷率を改善し、ガスタービン３が負荷上昇されるときにガスタービン３と熱回収蒸気発生器サブシステム２１との間のミスマッチを防止する。コンバインドサイクル等温式サブシステム９の別の利点は、それが、発電出力が要求されないときに最大蒸気生成量で、ガスタービン３とコンバインドサイクルプラントの間の負荷バランスを調節する手段を提供するということである。そして、これは、地域暖房、および精製所などのような設備における現地での熱電併給などのように、追加の蒸気が望まれるいくつかの用途において、発電プラント運転員に柔軟性を提供する。他の利点は、熱回収蒸気発生器サブシステム２１への排気ガス熱伝達の改善、および、ガスタービン３が等温式に制約される部分負荷条件下のコンバインドサイクルガスタービン熱消費率の改善である。最後に、コンバインドサイクル等温式サブシステム９は、拡張されたターンダウンでの排出プロファイルを改善し、かつ、古い発電プラントを改良する能力を改善する。追加の利益には、年間生成時間（稼働率、設備利用率）が増加されることが含まれ、コンバインドサイクルガスタービンの起動停止周期が負荷バランスの柔軟性を伴って低減され（メンテナンスコストが低減され）、部分負荷の運転効率が改善され、コンバインドサイクルガスタービンを改良することが含まれる。
【００４０】
図８に示されているのは、タービンシステム１の様々なコンポーネントおよびプロセスを制御するために使用される制御サブシステム１００である。制御サブシステム１００は、制御モジュール１０３を含むことが可能であり、制御モジュール１０３は、典型的に、タービンシステム１のコンポーネントの制御などのような電気機械的プロセスを自動化するデジタルコンピュータである。これらのコンポーネントは、入口ガイドベーンサブシステム１９、圧縮機１３、および燃焼器１５を含むことが可能である。例えば、ＧＥ  Ｉｎｄｕｓｔｒｉａｌ  ＆  Ｐｏｗｅｒ  Ｓｙｓｔｅｍｓ  ｏｆ  Ｓｃｈｅｎｅｃｔａｄｙ，  Ｎ．Ｙ．によって発行された、Ｒｏｗｅｎ，Ｗ．Ｉ．による「ＳＰＥＥＤＴＲＯＮＩＣTM  Ｍａｒｋ  Ｖ  Ｇａｓ  Ｔｕｒｂｉｎｅ  Ｃｏｎｔｒｏｌ  ｓｕｂｓｙｓｔｅｍ」（ＧＥ−３６５８Ｄ）に記載されているように、制御モジュール１０３は、Ｇｅｎｅｒａｌ  Ｅｌｅｃｔｒｉｃ  ＳＰＥＥＤＴＲＯＮＩＣ（登録商標）ガスタービン制御サブシステムであることが可能である。例えば、参照により本明細書に組み込まれる、Ｒｅｘ  Ａｌｌｅｎ  Ｍｏｒｇａｎらによる「Ｍｅｔｈｏｄ  ａｎｄ  Ｓｙｓｔｅｍ  ｆｏｒ  Ｃｏｎｔｒｏｌｌｉｎｇ  Ｇａｓ  Ｔｕｒｂｉｎｅ  ｂｙ  Ａｄｊｕｓｔｉｎｇ  Ｔａｒｇｅｔ  Ｅｘｈａｕｓｔ  Ｔｅｍｐｅｒａｔｕｒｅ」という名称の米国特許第６，９１２，８５６号に記載されているような制御サブシステムである。
【００４１】
制御モジュール１０３は、中央処理装置１０５を含んでいる。メモリコンポーネント１０７、入力コンポーネント１０９、および出力コンポーネント１１１が、中央処理装置１０５に関係することが可能である。メモリコンポーネント１０７は、フラッシュディスクカード、ランダムアクセスメモリカード（ＲＡＭ）、読み取り専用メモリ（ＲＯＭ）、ダイナミックランダムアクセスメモリ（ＤＲＡＭ）、非同期性ダイナミックランダムアクセスメモリ（ＳＤＲＡＭ）、または任意の他の所望のタイプのメモリデバイスを含むことが可能であり、制御モジュール１０３の一部であるか、または制御モジュール１０３から分離されていることが可能である。入力コンポーネント１０９および出力コンポーネント１１１は、制御モジュール１０３に関係する単一の入出力カードとして組み合わせられることが可能である。入力コンポーネント１０９および出力コンポーネント１１１は、制御モジュール１０３の中に組み込まれて示されているが、それらは、制御モジュール１０３に接続するコンピュータネットワークに取り付けられた外部入出力モジュールとして提供されることが可能である。
【００４２】
さらに、制御モジュール１０３は、通信コンポーネント１１３および電源１１５を含んでいる。制御モジュール１０３は、複数の入力１１７を処理し、複数の出力１１９を提供する。また、制御モジュール１０３は、デジタルコンピュータなどのヒューマンマシンインターフェース（ＨＭＩ）１２１にも連結されている。ＨＭＩは、マンマシンインターフェース（ＭＭＩ）およびグラフィカルユーザーインターフェース（ＧＵＩ）とも称され、ユーザーと相互作用するための使用ボタンおよび光、テキストディスプレイ、ならびにグラフィカルタッチスクリーンを含むことが可能である。プログラミングソフトウェアおよび監視ソフトウェアが、通信インターフェースを介して制御モジュール１０３に接続されたコンピュータにインストールされることが可能である。様々なプロセスを制御するプログラム実行アルゴリズムが、典型的にメモリコンポーネント１０７の中に格納されるであろう。
【００４３】
データベースが、メモリコンポーネント１０７の中に格納されることが可能である。メモリコンポーネント１０７の中に格納されたデータベースは、圧縮機負荷限界データベースを含むことが可能であり、圧縮機負荷限界データベースは、異なる圧縮機入口における温度Ｔｉ、燃焼器における燃料空気比（ＦＡＲ）、およびガイドベーン角度θに対するそれぞれのガスタービン３の圧縮機負荷限界に関係する。
【００４４】
メモリコンポーネント１０７の中に格納されたデータベースは、排出限界データベースを含むことが可能であり、排出限界データベースは、それぞれのガスタービン３についての異なるＴｉ、θ、およびＦＡＲに対する排出限界に関係する。メモリコンポーネント１０７の中に格納されたデータベースは、流量データベースを含むことが可能であり、流量データベースは、異なるＴａ、Ｔｉ、ＦＡＲ、およびθに対するそれぞれのガスタービン３の様々な流量（Ｑ１、Ｑ２、Ｑ３など）に関係する。データベースの中の他の情報は、圧縮機流量対排出量スケジュール、圧縮機排出モジュール、および、異なる大気温度および変化するＩＧＶ角度の特定のガスタービン３に対して、空気力学的応力が、圧縮機の後方段において発生するときの流量係数を示すデータを含むことが可能である。
【００４５】
図９を参照すると、制御モジュール１０３は、タービンシステムから様々な入力を受け取ることが可能であり、その入力は、タービンの制御に関連する入力１２３（タービン入力）、および、システムの残りの部分の制御に関連する入力１２５（システム入力）が含まれる。さらに、制御モジュール１０３は、ＨＭＩ１２１からの入力（ＨＭＩ入力１２７）を受け取ることが可能である。制御モジュール１０３は、プログラムロジック１２９に基づいてプログラムを実行し、タービンを制御するための出力（タービン出力１３３）、およびシステムの残りの部分を制御するための出力（システム出力１３５）を提供することになる。
【００４６】
タービン入力１２３は、タービン入口温度、タービン排気温度、およびユニットの特定の入口温度スケジュールを含むことが可能である。システム入力１２５は、とりわけ、拡張されたターンダウンのユニットの特定の圧縮機入口温度スケジュール、抽気流量、抽気温度、入口温度スケジュール、制御弁開度、安全／遮断弁開度を含むことが可能である。ＨＭＩ入力１２７は、「通常」モード（出力−制御弁閉、安全弁閉）または「ターンダウン」モード（出力−制御弁開許容、遮断弁開許容）の選択を含むことが可能である。
【００４７】
高いレベルで、プログラムロジック１２９は、以下のように表されることが可能である。
【００４８】
【表１】
2013108493.tif 000003
システム出力１３５は、排気ガス抽気遮断弁４３、機外排出遮断弁４９、および安全遮断弁５４を開閉するための指令を含むことが可能である。さらに、システム出力１３５は、上流側圧縮機ブリード制御弁２９、下流側圧縮機ブリード制御弁３１、排気ガス抽気（ＥＧＥ）制御弁４１、および機外排出制御弁５１の開度を設定するための指令を含むことが可能である。
【００４９】
図１０は、開始負荷（Ｌｓｔａｒｔ）からターンダウンレベル負荷（Ｌｅｎｄ）へガスタービン３の負荷を低減するために圧縮機保護サブシステム５によって実施されることが可能な例示的方法のフローチャートである。運転員は、現在の負荷Ｌｓｔａｒｔ（方法要素１５１）および目標負荷Ｌｅｎｄ（方法要素１５３）を決定する。制御サブシステム１１は、大気温度（Ｔａ）、圧縮機入口温度（Ｔｉ）、ＩＧＶベーン角度（θ）、圧縮機ブリード流量Ｑ１、および排気ガス抽気流量Ｑ２を含むデータをセンサから受け取る（方法要素１５５）。運転員は、負荷をＬｓｔａｒｔからＬｅｎｄへ持っていくために負荷減少速度ΔＬ／ｔを決定することが可能である。漸進的な負荷の減少ΔＬが、決定されることが可能であり（方法要素１５７）、最適なＣｍ／Ｕ、Ｔｉ、およびθが、特定のガスタービンに対するＣｍ／Ｕ制限および排出限界に基づいて計算または決定されることが可能である（方法要素１５９）。それらの値に基づいて、制御サブシステムは、それらの条件を実現するために必要な流量Ｑ１、Ｑ２、Ｑ５、およびＱ６、ならびに、温度調節サブシステム５５のための入力パラメータを決定することが可能である（方法要素１６１）。制御サブシステム１１は、低減された負荷のための目標条件を実現するために、ＥＧＥ制御弁４１および下流側圧縮機ブリード制御弁３１へ指令を提供する（方法要素１６３）。次いで、負荷は、ΔＬだけ低減される（方法要素１６５）。もし、Ｌｅｎｄへ到達しなければ、次いで、負荷がＬｅｎｄに到達するまでプロセスが繰り返される（方法要素１６７）。
【００５０】
図１１は、開始負荷（Ｌｓｔａｒｔ）から負荷上昇レベル負荷（Ｌｅｎｄ）へガスタービン３の負荷を増加させる（負荷上昇）ために圧縮機保護サブシステム５によって実施されることが可能な例示的方法のフローチャートである。運転員は、現在の負荷Ｌｓｔａｒｔ（方法要素２５１）および目標負荷Ｌｅｎｄ（方法要素２５３）を決定する。制御サブシステム１１は、大気温度（Ｔａ）、圧縮機入口温度（Ｔｉ）、ＩＧＶベーン角度（θ）、圧縮機ブリード流量Ｑ１、および排気ガス抽気流量Ｑ２を含むデータをセンサから受け取る（方法要素２５５）。運転員は、負荷をＬｓｔａｒｔからＬｅｎｄへ持っていくために負荷増加速度ΔＬ／ｔを決定することが可能である。漸進的な負荷の増加ΔＬが、決定されることが可能であり（方法要素２５７）、最適なＣｍ／Ｕ、Ｔｉ、およびθが、特定のガスタービンに対するＣｍ／Ｕ制限および排出限界に基づいて計算または決定されることが可能である（方法要素２５９）。それらの値に基づいて、制御サブシステムは、それらの条件を実現するために必要な流量Ｑ１、Ｑ２、Ｑ５、およびＱ６、ならびに、温度調節サブシステム５５のための入力パラメータを決定することが可能である（方法要素２６１）。制御サブシステム１１は、増加された負荷のための目標条件を実現するために、ＥＧＥ制御弁４１および下流側圧縮機ブリード制御弁３１へ指令を提供する（方法要素２６３）。もし、Ｌｅｎｄへ到達しなければ、次いで、負荷がＬｅｎｄに到達するまでプロセスが繰り返される。図１０および図１１に示されている方法を利用することは、圧縮機１３にかかる空気力学的な応力を回避しながら、開始負荷および最終負荷を制御するだけでなく、負荷が変化する速度も制御する柔軟性を運転員に提供する。
【００５１】
図１２は、依然として排出基準を順守しながら、ターンダウン負荷へガスタービン３をターンダウンする方法の実施形態を示しており、それは、休止モードサブシステム７によって実施されることが可能である。運転員は、現在の負荷（Ｌ）（方法要素２７１）および目標最終負荷（Ｌｅｎｄ）（方法要素２７３）を決定する。次いで、運転員は、漸進的な負荷の変化ΔＬを決定することが可能である（方法要素２７５）。制御サブシステム１１は、新しい負荷レベルにおける流量係数（Ｃｍ／ＵL+ΔL）が、制限された範囲における流量係数（Ｃｍ／ＵR）よりも低いかどうかを決定することが可能である（方法要素２７７）。もし、新しい負荷レベルにおける流量係数が、制限された範囲の流量係数よりも小さければ、制御サブシステム１１は、流量係数を制限された範囲の流量係数よりも高いレベルに維持するために要求される圧縮機入口温度ΔＴの変化およびＩＧＶベーン角度θの任意の変化を計算する（方法要素２７９）。次いで、制御サブシステム１１は、新しい負荷レベルにおけるＮＯｘが、適用可能な最大ＮＯｘ排出許容値よりも大きいかどうかを決定する。さらに、また、制御サブシステム１１は、新しい負荷レベルにおけるＣＯが、適用可能な最大ＣＯ排出許容値よりも大きいかどうかを決定することが可能である（方法要素２８１）。もし、新しい負荷について計算された排出レベルが、許容レベルを超えれば、制御サブシステムは、燃焼器が許容レベル内の排出レベルで運転されるために必要な燃料空気比の変化を計算することになる（方法要素２８３）。次いで、制御サブシステム１１は、新しいレベルへ負荷を変化させることが可能である（方法要素２８５）。制御サブシステム１１は、新しい負荷レベルにおける流量係数が、制限されたレベルにおける流量係数よりも小さいかどうかを決定することが可能である（方法要素２８７）。もし、新しい負荷レベルにおける流量係数が、制限されたレベルにおける流量係数よりも小さければ、制御サブシステム１１は、それにしたがって入口温度を調節するように休止モードサブシステム７に指示することになる（方法要素２８９）。制御サブシステム１１は、ＮＯｘ排出レベルが、システムに課されるＮＯｘ排出限界を超えるかどうかを決定することが可能である。また、制御サブシステム１１は、ＣＯ排出レベルが、システムに課されるＣＯ排出限界を超えるかどうかも決定することが可能である（方法要素２９１）。もし、新しい負荷レベルにおける排出値が、適用可能な排出レベルを超えるならば、制御サブシステム１１は、排出値が許容レベル内になるように、燃焼器１５における空気に対する燃料の比率を調節するよう休止モードサブシステム７に命じることになる（方法要素２９３）。コンバインドサイクルガスタービンシステムにおいて、方法は、新しい負荷に対する熱回収蒸気発生器サブシステム２１への入口温度を決定する方法要素をさらに含むことが可能であり、もし、それが、許容温度限界を超えるならば、制御サブシステム１１は、熱回収蒸気発生器サブシステム２１に進入するガスの温度を温度調節し、その温度が許容可能限界内となるようにするようコンバインドサイクル等温式サブシステム９に命じることが可能である。図１２に示されている方法を利用することは、排出基準によって課される限界を破ることを回避しながら、開始負荷および最終負荷を制御するだけでなく、負荷が変化する速度も制御する柔軟性を運転員に提供する。
【００５２】
圧縮機保護サブシステム５と、休止モードサブシステム７と、コンバインドサイクルガスタービンシステムの場合にはコンバインドサイクル等温式サブシステム９との組み合わせは、非常に低い負荷レベルにおいて、従来システムよりも高い効率でガスタービンを運転する柔軟性をプラント運転員に提供する。さらに、サブシステムの組み合わせは、ガスタービンシステム１の発電出力を変化させる複数の進路を運転員に提供する。圧縮機入口温度と、燃焼器１５における空気に対する燃料の比率と、および熱回収蒸気発生器サブシステム２１の入口のガス温度との組み合わせを制御することによって、運転員は、所与の部分負荷および所与の大気温度におけるガスタービン３および／またはコンバインドサイクルの効率を改善することが可能である。
【００５３】
ガスタービンシステム１の様々な実施形態は、かなりの運転上の利点をガスタービン３にもたらす。例えば、代表的なガスタービン３について計算すると、依然としてＮＯｘおよびＣＯの順守を維持しながら、ターンダウン限界は、およそ４５％と６０％負荷との間の範囲から、およそ１０％と３６％との間の範囲へ減少させられることが可能であることが示される。これらの負荷レベルは、特定の負荷レベルで運転するために要求されるＢＴＵ／ＫＷｈに対してある程度の影響を伴いながら維持されることが可能である。
【００５４】
この明細書は、本発明を開示するために、また、任意の当業者が本発明を実施（任意のデバイスまたはシステムを製造および使用すること、ならびに任意の組み込まれた方法を実行することを含む）することができるように、例（最良の形態を含む）を使用している。本発明の特許の範囲は、特許請求の範囲によって画定され、当業者が考え付く他の例を含むことが可能である。そのような他の例が、特許請求の範囲の文言と異ならない構造的要素を含んでいる場合には、または、特許請求の範囲の文言とわずかに異なる、均等な構造的要素を含んでいる場合には、そのような他の例は、特許請求の範囲内に含まれるということが意図されている。
【符号の説明】
【００５５】
１  ガスタービンシステム
３  ガスタービン
４  ターンダウンサブシステム
５  圧縮機保護サブシステム
７  休止モードサブシステム
９  コンバインドサイクル等温式サブシステム
１１  制御サブシステム
１３  圧縮機
１５  燃焼器
１６  燃料入力
１７  タービン
１８  発電機
１９  入口ガイドベーン（ＩＧＶ）サブシステム
２０  大気取り入れ口
２１  熱回収蒸気発生器サブシステム
２２  コンバインドサイクル入力
２５  圧縮機ブリードライン
２７  排気ガス抽気ライン
２８  別のＥＧＥライン
２９  上流側圧縮機ブリード制御弁
３１  下流側圧縮機ブリード制御弁
３３  圧縮機ブリード流量センサ
３５  ブレンドアセンブリまたはエダクタ
３７  ガスタービン入口システム
３９  排気ガス抽気（ＥＧＥ）流量センサ
４１  排気ガス抽気（ＥＧＥ）制御弁
４３  排気ガス抽気遮断弁
４５  中間段圧縮機ブリードライン
４６  ブレンドコンポーネント（マニホールド、エダクタ）
４７  圧縮機空気機外排出ライン
４８  スプリッター
４９  機外排出遮断弁
５１  機外排出制御弁
５３  機外排出流量センサ
５４  安全遮断弁
５５  温度調節サブシステム
５７  噴霧器注入ノズル
５８  作動流体入力
５９  成形されたバッフルアセンブリ
６１  バッフル
６２  重なり合うスプレーパターン
６３  入力
１０３  制御モジュール
１０５  中央処理装置
１０７  メモリコンポーネント（フラッシュディスクカード）
１０９  入力コンポーネント（ｉ／ｏカード）
１１１  出力コンポーネント
１１３  通信コンポーネント（通信カード）
１１５  電源
１１７  入力
１１９  出力
１２１  ヒューマンマシンインターフェース（ＨＭＩ）ＰＣ
１２３  タービン入力
１２５  システム入力
１２７  ＨＭＩ入力
１２９  プログラムロジック
１３３  タービン出力
１３５  システム出力
１５１  運転員が現在の負荷Ｌｓｔａｒｔを決定する
１５３  運転員がターンダウンレベル負荷（Ｌｅｎｄ）を決定する
１５５  制御システムがデータをセンサから受け取る
１５７  漸進的な負荷の減少を決定する
１５９  最適なＣｍ／Ｕ、Ｔｉ、およびθが、計算されることが可能である
１６１  それらの条件を実現するために必要な流量Ｑ１、Ｑ２、Ｑ５、およびＱ６、ならびに、温度調節サブシステム５５のための入力パラメータを決定する
１６３  ＥＧＥ制御弁４１および下流側圧縮機ブリード制御弁３１への指令
１６５  次いで、負荷はΔＬだけ低減される
１６７  もし、Ｌｅｎｄへ到達しなければ、次いで、負荷がＬｅｎｄに到達するまでプロセスが繰り返される
２５１  運転員が現在の負荷Ｌｓｔａｒｔを決定する
２５３  運転員が負荷上昇レベル負荷（Ｌｅｎｄ）を決定する
２５５  制御システムがデータをセンサから受け取る
２５７  漸進的な負荷の増加を決定する
２５９  最適なＣｍ／Ｕ、Ｔｉ、およびθが、計算されることが可能である
２６１  それらの条件を実現するために必要な流量Ｑ１、Ｑ２、Ｑ５、およびＱ６、ならびに、温度調節サブシステム５５のための入力パラメータを決定する
２６３  ＥＧＥ制御弁４１および下流側圧縮機ブリード制御弁３１への指令
２６５  次いで、負荷はΔＬだけ増加される
２６７  もし、Ｌｅｎｄへ到達しなければ、次いで、負荷がＬｅｎｄに到達するまでプロセスが繰り返される
２７１  現在の負荷を決定する
２７３  目標最終負荷（Ｌｅｎｄ）
２７５  漸進的な負荷の変化ΔＬを決定する
２７７  新しい負荷レベルにおける流量係数（Ｃｍ／ＵL+ΔL）が、制限された範囲における流量係数よりも低いかどうかを決定する
２７９  流量係数を制限された範囲の流量係数よりも高いレベルに維持するために要求される圧縮機入口温度ΔＴの変化およびＩＧＶベーン角度θの任意の変化を計算する
２８１  新しい負荷レベルにおけるＮＯｘが、適用可能な最大ＮＯｘ排出許容値よりも大きいかどうかを決定する
２８３  燃焼器が許容レベル内の排出レベルで運転されるために必要な燃料空気比の変化を計算する
２８５  新しいレベルへ負荷を変化させる
２８７  新しい負荷レベルにおける流量係数が、制限されたレベルにおける流量係数よりも小さいかどうかを決定する
２８９  それにしたがって入口温度を調整する
２９１  ＮＯｘ排出レベルがＮＯｘ排出限界を超えるかどうかを決定する
２９３  燃焼器における空気に対する燃料の比率を調整する
【図１】
2013108493.tif 000004
【図２】
2013108493.tif 000005
【図３】
2013108493.tif 000006
【図４】
2013108493.tif 000007
【図５】
2013108493.tif 000008
【図６】
2013108493.tif 000009
【図７】
2013108493.tif 000010
【図８】
2013108493.tif 000011
【図９】
2013108493.tif 000012
【図１０】
2013108493.tif 000013
【図１１】
2013108493.tif 000014
【図１２】
2013108493.tif 000015
【外国語明細書】
2013108493000001.pdf